(57)【特許請求の範囲】
【請求項１】
枠部材と、前面の遊技領域が前記枠部材の開口から前面側に対向した立設状態で前記枠部材により保持される遊技盤と、前記枠部材の裏面側に開閉自在に取り付けられるとともに前記遊技盤の裏面側を覆う閉止位置に保持されて用いられる裏セット盤とを備えて構成され、
前記遊技領域に、ここを落下移動する遊技球が入賞可能な入賞具が設けられるとともに前記入賞具に入賞せずに落下した遊技球を集めるアウト口が設けられ、前記入賞具に入賞した遊技球であるセーフ球を前記遊技盤の裏面側に排出させるセーフ球通路孔と前記入賞具に入賞せずに前記遊技領域下部に落下して前記アウト口に集められた遊技球であるアウト球を前記遊技盤の裏面側に排出させるアウト球通路孔とが前記遊技盤に形成され、
前記遊技盤の裏面に、前記セーフ球通路孔の出口および前記アウト球通路孔の出口を覆って裏カバー部材が取り付けられており、
前記裏カバー部材は、背面視において下部が絞られた形状に形成され、前記セーフ球通路孔の出口から排出された前記セーフ球および前記アウト球通路孔の出口から排出された前記アウト球を遊技済み球として集合させ、下端部に設けられて前記遊技盤の下面と略同一か若しくはそれより上方に位置したカバー開口から下方に排出させるように構成されており、
前記遊技盤の下側に位置して前記枠部材と一体に設けられた遊技補助板を備え、
前記遊技補助板に、前記カバー開口と上下に対向する上端開口を有して上下に延びるとともに、下端に下端開口を有する通路空間を有し、前記カバー開口から前記裏カバー部材内で集合されて排出される遊技済み球を前記上端開口から前記通路空間内に入り込ませて前記下端開口から排出させる遊技済み球通路が設けられており、
前記裏セット盤の下部に前記裏セット盤と一体に設けられ、賞球払い出し機構から払い出された賞球を前記枠部材の前面に設けられた球皿に排出させる賞球通路を形成する賞球通路形成部を備え、
前記遊技補助板の後方に位置した前記裏セット盤の後面における前記賞球通路形成部の側方に平面状の窪み部が形成され、この窪み部に電気回路基板が配設されていることを特徴とする弾球遊技機。
【請求項２】
前記遊技済み通路内に前記上端開口から入り込んだ遊技済み球を受け止める緩衝部材が設けられていることを特徴とする請求項１に記載の弾球遊技機。
【請求項３】
前記遊技済み球通路内に、側方に繋がる空間が形成されるとともにこの空間を塞ぐように詰まり検知レバーが設けられ、前記詰まり検知レバーの揺動を検知する詰まり検知スイッチが設けられており、
前記遊技済み球通路内に遊技済み球が詰まったときに、これら遊技済み球に前記詰まり検知レバーが押されて揺動し、前記詰まり検知スイッチにより遊技球が詰まっていることを検知するように構成されていることを特徴とする請求項１または２に記載の弾球遊技機。
【発明の詳細な説明】
【０００１】
【発明の属する技術分野】
本発明は、パチンコ機に代表される弾球遊技機に関し、さらに詳しくは、略方形状の枠部材（例えば、前枠もしくはここに取り付けられた収容枠）により遊技盤を立設状態に保持するとともに、遊技盤前面の遊技領域を枠部材の開口から前面側に対向させて構成され、枠部材の裏面側に開閉自在に且つ遊技盤を覆って閉止保持される裏セット盤を備えて構成される弾球遊技機に関する。
【０００２】
【従来の技術】
従来から一般的に良く知られているパチンコ機においては、遊技者が遊技球発射装置を操作して遊技球を遊技盤前面の遊技領域内に発射し、この遊技球を遊技領域内で落下移動させるように構成され、このように落下移動する遊技球が遊技領域内に設けられた入賞具に入り込んで入賞したときに、この入賞遊技球（これをセーフ球と称する）に対して所定の数の賞品遊技球（これを賞球と称する）を払い出すようになっている。なお、入賞具に入賞せずに遊技領域下部に落下した遊技球（これをアウト球と称する）は、遊技領域下部に形成されたアウト口に集められるようになっている。このような従来のパチンコ機において、枠部材の裏面側に裏セット盤と称される装置を開閉自在に且つ遊技盤裏面を覆うようにして閉止保持して取り付け、この裏セット盤によりセーフ球およびアウト球の排出処理や、セーフ球に対する賞球の払い出し処理を行うように構成されている。
【０００３】
この構成についてもう少し具体的に説明する。まず、遊技盤前面の遊技領域には複数の入賞具が設けられており、各入賞具に入賞したセーフ球は遊技盤を通ってその裏側に排出されるようになっている。裏セット盤にはこのように排出されたセーフ球を受け取って集めるセーフ球集合通路が形成されており、このセーフ球集合通路を介して集められたセーフ球がセーフ球検出器により検出された後、裏セット盤に形成されたセーフ球排出通路を通ってパチンコ機の裏側に配設された回収バケットに排出されて遊技ホール側に回収されるようになっている。また、アウト口に集められたアウト球も遊技盤を通ってその裏側に排出されるようになっており、裏セット盤にはこのように排出されたアウト球を受け取るアウト球排出通路が形成されており、このアウト球排出通路を通ったアウト球はそのまま回収バケットに排出されて遊技ホール側に回収される。
【０００４】
また、裏セット盤は、上部に予備賞球を貯留する予備賞球貯留機構と、この貯留機構を構成するタンク部材に貯留された予備賞球を上記入賞検出器によるセーフ球の検出に応じて払い出す賞球払い出し機構とを備え、賞球払い出し機構により払い出された賞球を遊技機前面の上球皿に排出させる賞球払い出し通路が裏セット盤に形成されている。さらに、上球皿に多数の賞球が排出されて一杯になり賞球払い出し通路内にまで溢れるときに、溢れた賞球を下球皿に流す溢れ球通路も裏セット盤に形成されている。
【０００５】
【発明が解決しようとする課題】
このように裏セット盤には、セーフ球集合通路、セーフ球排出通路、アウト球排出通路、賞球払い出し通路、溢れ球通路等をそれぞれ独立させて形成する必要があり、このように複数の通路を独立して形成するためこれら通路を立体交差形態で設ける構成となり、裏セット盤の厚さが増すとともにその構成が複雑化するという問題がある。さらに、最近の遊技機は遊技盤面に液晶表示装置を設け、遊技球の入賞に対して賞球の払い出し処理のみならず、賞球の入賞等に対して液晶表示装置での各種表示を関連して行わせ遊技性を高めるようになっている。このような表示制御等を行うための遊技制御基板が裏セット盤の上に配設されて、裏セット盤の裏面側に遊技制御基板が突出し、遊技機の全体の前後厚さが大きくなって遊技機裏面が後方に大きく突出し、遊技ホールに遊技機を設置するときに大きな設置スペースを必要とするという問題がある。特に、このように遊技機設置スペースが狭くて遊技機裏面側のスペースが小さくなると電気回路基板からの発生熱を効率よく放熱させることが難しくなるという問題もある。
【０００６】
本発明はこのような事情に鑑みたもので、従来の裏セット盤の後面に後方に突出して設けられている遊技制御基板を裏セット盤の後面に突出させることなくコンパクトに配設することができるようにして、遊技機の裏面構成全体の後方への突出量を小さくできるような弾球遊技機を提供することを目的とする。
【０００７】
【課題を解決するための手段】
このような目的達成のため、本発明に係る弾球遊技機は、枠部材と、前面の遊技領域が枠部材の開口から前面側に対向した立設状態で枠部材により保持される遊技盤と、枠部材の裏面側に開閉自在に取り付けられるとともに遊技盤の裏面側を覆う閉止位置に保持されて用いられる裏セット盤とを備えて構成される。そして、遊技領域に、ここを落下移動する遊技球が入賞可能な入賞具が設けられるとともに入賞具に入賞せずに落下した遊技球を集めるアウト口が設けられ、入賞具に入賞した遊技球（セーフ球）を遊技盤の裏面側に排出させるセーフ球通路孔と入賞具に入賞せずに遊技領域下部に落下してアウト口に集められた遊技球（アウト球）を遊技盤の裏面側に排出させるアウト球通路孔とが遊技盤に形成され、遊技盤の裏面に、セーフ球通路孔の出口およびアウト球通路孔の出口を覆って裏カバー部材が取り付けられており、裏カバー部材は、背面視において下部が絞られた形状に形成され、セーフ球通路孔の出口から排出されたセーフ球およびアウト球通路孔の出口から排出されたアウト球を遊技済み球として集合させ、下端部に設けられて遊技盤の下面と略同一か若しくはそれより上方に位置したカバー開口から下方に排出させるように構成される。さらに、遊技盤の下側に位置して枠部材と一体に設けられた遊技補助板を備え、遊技補助板に、カバー開口と上下に対向する上端開口を有して上下に延びるとともに、下端に下端開口を有する通路空間を有し、カバー開口から裏カバー部材内で集合されて排出される遊技済み球を上端開口から通路空間内に入り込ませて下端開口から排出させる遊技済み球通路が設けられており、裏セット盤の下部に前記裏セット盤と一体に設けられ、賞球払い出し機構から払い出された賞球を枠部材の前面に設けられた球皿に排出させる賞球通路を形成する賞球通路形成部を備え、遊技補助板の後方に位置した裏セット盤の後面における賞球通路形成部の側方に平面状の窪み部が形成され、この窪み部に電気回路基板が配設されている。
なお、上記構成の弾球遊技機において、遊技済み通路内に上端開口から入り込んだ遊技済み球を受け止める緩衝部材が設けられて構成されることが好ましい。
また、上記構成の弾球遊技機において、遊技済み球通路内に、側方に繋がる空間が形成されるとともにこの空間を塞ぐように詰まり検知レバーが設けられ、詰まり検知レバーの揺動を検知する詰まり検知スイッチが設けられており、遊技済み球通路内に遊技済み球が詰まったときに、これら遊技済み球に詰まり検知レバーが押されて揺動し、詰まり検知スイッチにより遊技球が詰まっていることを検知するように構成されることが好ましい。
【０００８】
このような構成の弾球遊技機では、賞球払い出し機構および賞球通路が形成された裏セット盤の後面において、賞球通路の側方に平面状の窪み部が形成され、この窪み部に遊技制御基板が配設されるため、遊技制御基板を裏セット盤の後面から突出させることなく裏セット盤に取り付けることができる。このため、弾球遊技機の後面における後方への突出量を小さくすることができ、遊技ホールにおける遊技機設置のための必要スペースが小さくなる。また、遊技ホールに設置した状態で遊技機裏面側の空間スペースが大きくなり、電気回路基板からの発生熱を効率よく放熱させることが可能となる。
【０００９】
【発明の実施の形態】
以下、図面を参照して本発明の好ましい実施形態について説明する。本発明に係る弾球遊技機の代表例としてのパチンコ機を前面側から見て図１および図２に示すとともに裏面側から見て図３に示している。なお、図２は、ガラス扉５および上球皿板６を開放した状態を示している。
【００１０】
パチンコ機ＰＭは、その基本構成として、方形枠状に形成された木製もしくはプラスチック製の外枠１と、この外枠１の前面を覆って取り付けられた前枠２とを有する。外枠１は上枠板１ａ、左右枠板１ｂ，１ｃ、底枠板１ｄから方形枠状に構成され、下部前面に幕板１ｅが設けられるとともに幕板１ｅの裏側に補強連桿１ｆが取り付けられている。前枠２は、外枠１における底枠板１ｄおよび幕板１ｅの前面を除く外枠１の前面を覆う方形枠状に構成され、外枠１の正面左側上下部においてヒンジ部材３ａ，３ｂにより開閉および着脱自在に取り付けられている。前枠２の正面右側に施錠装置４が設けられており、ヒンジ部材３ａ，３ｂにより開閉自在に支持された前枠２が外枠１の前面を覆って閉止された状態で施錠装置４により外枠１と係合され、閉止状態のまま保持されるような構成となっている。
【００１１】
前枠２の前面にはその上部を開閉自在に覆う方形状のガラス扉５が取り付けられており、施錠装置４により前枠２の前面を覆う閉止状態で保持される。また、前枠２の前面下部には、ガラス扉５の下側に位置する方形状の上球皿板６が開閉自在に取り付けられており、図示しないロック機構により図１に示すように閉止状態で保持される。上球皿板６はロック機構を解除して図２に示すように開放可能であるが、閉止状態でガラス扉５の下端部が上球皿板６の上端部の前面側に重なるように構成されており、上球皿板６はガラス扉５が開放された状態においてのみ開放可能である。なお、上球皿板６には上球皿６ａが設けられている。
【００１２】
前枠２の裏側に一体に繋がって方形枠状の収容枠部７が形成されており、この収容枠部７によりその詳細構造を後述する遊技盤１０が着脱交換可能に収容保持される。前枠２には収容枠部７により囲まれた方形状の枠開口２ａが形成されており、収容枠部７に遊技盤１０が保持された状態で、この枠開口２ａから遊技盤１０の前面の遊技領域１１を前面側に臨ませるようになっている。この遊技領域１１は、前枠２の前面に閉止状態で取り付けられたガラス扉５のガラス板５ａに所定間隔をおいて対向し、遊技領域１１の前面とガラス扉５のガラス板５ａの内面との間に遊技球が落下移動する遊技領域空間が形成されている。
【００１３】
前枠２における枠開口２ａの下部には前枠２と一体に形成された遊技補助板５０が設けられている。この遊技補助板５０の上部前面が上球皿板６により覆われ、下部前面には、下球皿８や、打球発射ハンドル９ａを備えた打球発射装置９が図示のように設けられている。
【００１４】
遊技盤１０は方形状のベニヤ板の前面に樹脂シートからなる所定の図柄が施されたセル板を貼付して構成されており、収容枠部７に裏面側から装着され、収容枠７の後面側周囲に配設された複数の係合レバー１２ａ〜１２ｄにより固定保持される。遊技盤１０の前面に添付されたセル板の上に略円形状のレール１３が取り付けられている。レール１３に囲まれて遊技盤１０の前面に遊技領域１１が形成されており、遊技領域１１内に各種の遊技部品と多数本の遊技釘２１が図示のように配設されている。打球発射装置９により発射される遊技球はレール１３に沿って遊技領域１１内に打ち出され、遊技領域１１の前面とガラス板５ａとの間の遊技領域空間内を落下移動する。
【００１５】
パチンコ機ＰＭは、このように遊技領域１１の前面の遊技領域空間を落下移動する遊技球を遊技釘２１により弾いたり、導いたりして落下方向をランダムに変え、移動途中で入賞具に入賞したときにこの入賞に応じて賞球の払い出しを行うように構成されている。このため、遊技領域１１には、回転自在に取り付けられた風車１４、通過ゲート１５、一般入賞具１６、下部中央に位置する電動チューリップ式の始動入賞具１７、その上側に位置する表示装置２０、下部に位置するアタッカー装置２２等からなる遊技部品が図示のように設けられている。また、遊技領域１１の最下部には入賞具に入賞しなかったアウト球を排出するアウト口１８が設けられており、このアウト口１８に繋がって遊技盤１０を貫通するアウト球通路孔１８ａが形成されている。遊技領域１１内にはさらに、入賞時等に点灯、点滅表示を行うランプ飾り１９が設けられている。
【００１６】
通過ゲート１５はそれぞれ落下する遊技球がここを通過することができ、ここを通過する遊技球の有無を検出する通過センサ（図示せず）を内蔵している。一般入賞具１６は入賞孔を有し、ここに遊技球が入賞したときに所定の数（例えば、１０個）の賞球が上もしくは下の球皿６ａ，８に払い出される。これら一般入賞具１６の後側において遊技盤１０を貫通するセーフ球通路孔（図示せず）が設けられており、一般入賞具１６に入賞したセーフ球はセーフ球通路孔を通って遊技盤１０の裏面側に排出される。
【００１７】
始動入賞具１７はいわゆる電動チューリップ構成の入賞具からなり、左右のチューリップ羽根を開閉させることができる。始動入賞具１７に遊技球が入賞したときにも所定の数（例えば、５個）の入賞球が上もしくは下の球皿６ａ，８に払い出される。この始動入賞具１７の後側にも遊技盤１０を貫通するセーフ球通路孔（図示せず）が設けられており、始動入賞具１７に入賞したセーフ球はこのセーフ球通路孔を通って遊技盤１０の裏面側に排出される。表示装置２０は液晶表示器を有しており、遊技中において液晶表示器の画面に種々の表示がなされる。
【００１８】
アタッカー装置２２は、中央に長方形状の開口からなる大入賞口を有し、この大入賞口を開閉自在に覆って開閉扉が取り付けられている。開閉扉は通常閉止されており、遊技中において所定の遊技条件の下で特別遊技状態が成立したときに、開閉扉が前方にほぼ９０度倒されて大入賞口が開放される。アタッカー装置２２の後側には大入賞口内の二つの入賞口に繋がって遊技盤１０を貫通する二つのセーフ球通路孔２２ａ，２２ｂ（図４および図５参照）が設けられており、大入賞口からいずれかの入賞口に入ったセーフ球はいずれかのセーフ球通路孔２２ａ，２２ｂを通って遊技盤１０の裏面側に排出される。
【００１９】
以上のような構成の遊技盤１０が取り付けられた前枠２の裏面側には、外枠１に囲まれた領域内に位置して裏セット盤ＢＳＰが開閉可能に設けられている。裏セット盤ＢＳＰは、全体として収容枠部７の背面外郭サイズに合わせたほぼ方形状に形成され、収容枠部７の背面の上部側に装備されて遊技球の貯留・供給処理を行う球貯留供給機構３０や、収容枠部７の背面の中央部および下方部にかけて装備されて賞球払い出し処理を行う賞球払い出し機構４０、払い出された賞球を上下の球皿６ａ，８に排出するための賞球排出用通路等を形成する賞球通路形成部４１等を有して一体に構成される。
【００２０】
裏セット盤ＢＳＰは、さらに、球貯留供給機構３０の隣に位置して配設されたターミナル制御部３７と、下部の裏面上に配設された制御基板４８，４９を有している。ターミナル制御部３７には、遊技ホール側からの電源供給ライン、パチンコゲーム内容の情報を送受する信号ライン等が繋がっており、電源および信号の入出力制御を行う。裏セット盤ＢＳＰの中央部に開口３５が形成されており、遊技盤１０に設けられた表示装置２０の裏面側に取り付けられた表示制御基板２３がこの開口３５内に位置している。このような構成の裏セット盤ＢＳＰはヒンジ３８ａ，３８ｂにより開閉自在となって前枠２の裏面側に取り付けられており、前枠２の裏面を覆う閉止状態で閉止レバー３９により係止保持される。
【００２１】
上記裏セット盤ＢＳＰを構成する球貯留供給機構３０は、予備賞球用のタンク部材３１、タンク部材３１内に貯留された予備賞球を整列して供給させる整列樋部材３２を有して構成される。整列樋部材３２は、タンク部材３１から供給された予備賞球を二列の賞球路内に整列状に収容して、偏向出口３２ａに送り出すようになっている。賞球払い出し機構４０は、偏向出口３２ａから送られた賞球を受け、入賞具への遊技球の入賞に応じて所定の数の賞球を払い出す作動を行う。裏セット盤ＢＳＰの下部には、この賞球払い出し機構４０から払い出された賞球を上球皿６ａに導いて排出させる賞球排出通路および上球皿６ａから溢れ出る賞球を下球皿８に送り出す溢れ球通路を形成する賞球通路形成部４１が設けられているが、この構成は後述する。
【００２２】
このように構成された裏セット盤ＢＳＰを取り外した状態で、前枠２の裏面側を図４に示している。この図に示すように、前枠２と一体に構成された収容枠部７内に収容保持された遊技盤１０の裏面には、中央部に突出する表示制御基板２３を囲む第１裏カバー２５と、第１裏カバー２５の下側にこれに繋がって位置する第２裏カバー２６とが取り付けられている。これら第１および第２裏カバー２５，２６は、遊技盤１０を貫通して形成されたセーフ球通路孔（例えば、アタッカー装置２２に入賞したセーフ球を流すセーフ球通路孔２２ａ，２２ｂが図示されている）の出口と、アウト球通路孔１８ａの出口とを覆って取り付けられている。また、賞球払い出し機構４０から払い出された賞球を上球皿６ａへ排出するための排出路６ｂが図示のように形成されている。
【００２３】
第２裏カバー２６は下部において絞られるとともに下端に開口２６ｂが設けられており、この部分を図５に詳しく示している。遊技盤１０を貫通して形成されたセーフ球通路孔２２ａ，２２ｂ等およびアウト球通路孔１８ａ，１８ｂを通って遊技盤１０の裏面に排出されるセーフ球およびアウト球は、第１および第２裏カバー２５，２６と遊技盤１０の裏面との間に形成された空間２５ａ，２６ａ内に入り込み、第２裏カバー２６の空間２６ａの下部において遊技済み球として集合され、空間２６ａの下端開口２６ｂから下方に排出される。すなわち、第２裏カバー２６が遊技済み球（セーフ球およびアウト球）を集合させる遊技済み球集合部材としての役割を果たす。この構成については、矢印X−Xに沿った断面を示す図１０および矢印XII−XIIに沿った断面を示す図１２にも示している。なお、図１２は、裏セット盤ＢＳＰを取り付けた状態での断面形状を示している。
【００２４】
図１０および図１２からも良く分かるように、アウト球通路孔１８ａの出口のすぐ上側にセーフ球通路孔２２ａ，２２ｂの出口が位置している。そこで、これらセーフ球通路孔２２ａ，２２ｂから排出されるセーフ球がアウト球通路孔１８ａ内に入り込んでアウト口１８から遊技盤１０の前面側に流出するのを防止するため、アウト球通路孔１８ａの上縁に位置して第１遮蔽壁２７ａが形成されている。また、下部空間部２６ａを流れるセーフ球がアウト球通路孔１８ａ内に入り込んでアウト口１８から遊技盤１０の前面側に流出するのを防止するため、アウト球通路孔１８ａの下縁に位置して第２遮蔽壁２７ｂが形成されている。
【００２５】
一方、遊技補助板５０の上部には、矢印VIII−VIIIに沿った断面を示す図８および矢印XIII−XIIIに沿った断面を示す図１３にも示すように、上下に延びる第１遊技済み球通路５１が形成されている。この第１遊技済み球通路５１は上端開口５１ａおよび下端開口５１ｂを有して上下に貫通して延びる空間からなり、上端開口５１ａは遊技済み球集合部材を構成する第２裏カバー２６の下端開口２６ｂと上下に対向している。このため、第２裏カバー２６により集合されて下端開口２６ｂから排出される遊技済み球は、第１遊技済み球通路５１を通って下端開口５１ｂから下方に排出される。
【００２６】
第１遊技済み球通路５１内には、上記のように第２裏カバー２６の下端開口２６ｂから落下してくる遊技済み球を受け止める緩衝部材５２が設けられている。この緩衝部材５２はゴム等の比較的軟らかい材料から作られ、落下移動する遊技済み球が当接したときにこれを軟らかく受け止めて、音、振動の発生を抑える役割を果たす。また、第１遊技済み球通路５１は図５において右側に空間５４ａが形成されており、この空間を塞ぐように詰まり検知レバー５３ａが揺動自在に取り付けられ、詰まり検知レバー５３ａが右方向に揺動移動されたときにオン作動される詰まり検出スイッチ５３ｂが設けられている。このため、第１遊技済み球通路５１および後述する第２遊技済み球通路６１内になんらかの原因で遊技済み球が詰まった場合、この遊技済み球が詰まり検知レバー５３ａを右方に押圧して詰まり検知スイッチ５３ｂを押してオン作動させるため、通路５１，６１における遊技済み球の詰まりの有無を検知できる。なお、詰まり検知スイッチ５３ｂにより遊技済み球の詰まりが検知されたときには、打球発射装置９の作動を停止させて遊技を停止させたり、報知ランプ、ブザー等により詰まりが発生したことを外部に報知したりする。
【００２７】
遊技補助板５０の下部には、矢印VII−VIIに沿った断面を示す図７や、図９の斜視図にも示すように、上記第１遊技済み球通路５１の下端開口５１ｂと上下に対向する上端開口６１ａを有して上下に延びる第２遊技済み球通路６１を形成する遊技済み球通路構成部材６０が取り付けられている。第２遊技済み球通路６１は断面Ｕ字状部の後面を蓋部材６０ａにより覆って構成され、上端開口６１ａおよび下端開口６１ｂを有して上下に延び、途中に形成された段差部６２により前後にクランク状に曲がった形状をしている。なお、蓋部材６０ａはビス６０ｂによりＵ字上部に着脱自在に固定されている。上端開口６１ａは第１遊技済み球通路５１の下端開口５１ｂと対向し、第１遊技済み球通路５１を通ってその下端開口５１ｂから排出される遊技済み球は、第２遊技済み球通路６１を通って下端開口６１ｂからパチンコ機ＰＭの裏面側外部に排出される。このパチンコ機ＰＭが配設される遊技ホール施設（一般に遊技島と称される）には、第２遊技済み通路６１の下端開口６１ｂから排出される遊技済み球を受け止める回収バケット（図示せず）が配設されており、遊技済み球は回収バケットから遊技ホール側に回収される。
【００２８】
次に、裏セット盤ＢＳＰに設けられた賞球払い出し機構４０から払い出された賞球を上および下球皿６ａ，８に供給するための賞球通路形成部４１の構成について説明する。図６および矢印XI−XIに沿った断面を示す図１１および矢印XIV−XIVに沿った断面を示す図１４に示すように、賞球通路形成部４１内には賞球排出通路４２と、溢れ球通路４３とが形成されている。賞球排出通路４２の上端開口４１ａは賞球払い出し機構４０の下端における賞球排出部と上下に対向しており、賞球払い出し機構４０から払い出された賞球は上端開口４１ａから賞球排出通路４２内に入り込み、その下部開口４２ａから遊技補助板５０に形成された上賞球通路５７内に流れ、ここから上球皿板６に形成された排出路６ｂを通って上球皿６ａ内に送り出される。
【００２９】
ここで、賞球排出通路４２は上部において仕切部４３ａを介して溢れ球通路４３と連通しており、上球皿６ａ内に賞球が一杯となるとともに排出路６ｂおよび上賞球通路５７内に賞球が充満する状態となった状態で、賞球払い出し機構４０からさらに賞球の払い出しが行われると、賞球が賞球排出通路４２の下部に充満して仕切部４３ａを乗り越えて溢れ球通路４３に溢れ出る。このように溢れ出た賞球は溢れ球通路４３を通って、遊技補助板５０の下部に取り付けられた賞球バケット６５のバケット空間６５ａ内に排出される。賞球バケット６５の取り付け部分前方には下賞球通路５６が形成されており、バケット空間６５ａに送られた賞球は下賞球通路５６を通って下球皿８内に排出される。
【００３０】
溢れ球通路４３の下部には溢れ検知レバー４４ａと溢れ検知スイッチ４４ｂとが図示のように配設されている。このため、下球皿８に賞球が一杯となり、下賞球通路５６およびバケット空間６５ａに充満し、溢れ球通路４３の下部にも賞球が充満すると溢れ検知レバー４４ａが押されて溢れ検知スイッチ４４ｂがオン作動され、賞球の充満状態を検出できるようになっている。
【００３１】
このように裏セット盤ＢＳＰにおける賞球通路形成部４１は賞球排出通路４２、溢れ球通路４３等を有するため後方に突出して形成されているが、この賞球通路形成部４１の左側部は側壁４１ａにおいて前方に窪み、平面状の窪み部４１ｂが形成されている。そして、この窪み部４１ｂに制御基板４８が配設されており、制御基板４８が後方に突出することを防止している。
【００３２】
賞球バケット６５は、図５および図９から良く分かるように、遊技済み球通路構成部材６０と隣り合わせに位置して取り付け板６８の上に一体に配設されて構成されている。これら遊技済み球通路構成部材６０および賞球バケット６５はそれぞれ独立して形成して遊技補助板５０の下部に図示のように取り付けても良いが、このように取り付け板６８により一体に形成する方が取り付けが容易である。なお、取り付け板６８の下端が一部下方に延びて証紙貼付部６９が設けられており、ここに証紙を貼付するようになっている。また、賞球バケット６５の上部に溢れ球通路４３の下端を形成する通路壁と繋がる仕切リブ６６が形成されており、この仕切リブ６６の下端が前方に延びて返し壁６６ａが形成されている。この返し壁６６ａは、下賞球通路５６から針金などが挿入されて遊技盤１０の裏側に侵入して不正操作されることを防止するためのものである。
【００３３】
このように賞球排出通路４２および溢れ球通路４３が形成される賞球通路形成部４１の裏面には、制御基板４８，４９を取り付けるための平面部が形成されているが、上記のように裏セット盤ＢＳＰには賞球排出通路４２および溢れ球通路が形成されるのみであり、且つこれら通路は上下に重なることがないため、この制御基板取付用の平面部が確保しやすい。
【００３４】
上球皿６ａには排出ボタン６ｅ（図１参照）が設けられており、この排出ボタン６ｅを操作すると、上球皿６ａ内の遊技球を排出路６ｃ内に流し、排出路６ｃから排出口６ｄを通って遊技補助板５０に形成された排出空間５４ｂ内に排出される。図１２から良く分かるように排出空間５４ｂは賞球バケット６５内のバケット空間６５ａに繋がっており、上記のように排出空間５４ｂ内に排出された使用球はそのままバケット空間６５ａ内に落下移動し、さらに下賞球通路５６を通って下球皿８内に排出される。
【００３５】
図６に示すように、裏セット盤ＢＳＰには遊技盤１０を係止保持する係合レバー１２ｄが係止位置に位置した状態でこの周囲を囲む包囲空間４５が形成されている。この包囲空間４５を形成する壁４５ａは係止位置に位置した係合レバー１２ｄに近接しており、係合レバー１２ｄを閉め忘れたまま裏セット盤ＢＳＰを閉止させた場合、壁４５が係合レバー１２ｄの上に重なって裏セット盤ＢＳＰを閉止できないようになっている。これにより、係合レバー１２ｄの閉め忘れを確実に防止できる。
【００３６】
以上説明した第１の実施形態に係るパチンコ機ＰＭによれば、賞球払い出し機構および賞球通路が形成された裏セット盤の後面において、賞球通路の側方に平面状の窪み部が形成され、この窪み部に遊技制御基板が配設されるため、遊技制御基板を裏セット盤の後面から突出させることなく裏セット盤に取り付けることができる。このため、弾球遊技機の後面における後方への突出量を小さくして、遊技ホールにおける遊技機設置のための必要スペースを小さくすることができる。この結果、遊技ホールに設置した状態で遊技機裏面側の空間スペースが大きくなり、電気回路基板からの発生熱を効率よく放熱させることが可能となる。
【００３７】
次に、第２の実施形態に係るパチンコ機ＰＭ′について図１５〜図１９を参照して説明する。但し、このパチンコ機ＰＭ′と図１〜図１４に示したパチンコ機ＰＭとは、遊技盤の裏面に設けられるセーフ球およびアウト球の排出構成が相違し、その他の構成は同一であるので、以下においてパチンコ機ＰＭと同一構成部分については同一番号を付してその説明を簡略化もしくは省略する。なお、図１５は図４に対応し、図１６は図５に対応し、図１７は図１０に対応し、図１８は図１２に対応し、図１９は図１３に対応する。
【００３８】
このパチンコ機ＰＭ′においては、図１５および図１６に示すように、第１裏カバー２５および第２裏カバー２６′が遊技盤１０′の裏面に取り付けられている。この遊技盤１０′にはアウト口１８に繋がる第１アウト球通路孔１８ａと第１アウト球通路孔１８ａから斜め下方に延びる溝状の第２アウト球通路孔１８ｂ′とが形成されており、図１７および図１８から分かるように、これら第１および第２アウト球通路孔１８ａ，１８ｂ′が薄い板カバー１８ｃにより覆われ、第２アウト球通路孔１８ｂ′の下端が下方に開口している。このため、アウト口１８に入り込んだアウト球は、第１および第２アウト球通路孔１８ａ，１８ｂ′を通って第２アウト球通路孔１８ｂ′の下端開口１８ｄから下方に排出される。一方、セーフ球通路孔の出口は第２裏カバー２６′により覆われている。このため、セーフ球は第１実施形態と同様に第２裏カバー２６′によりその内部空間２６ａ′内で集合されて下端開口２６ｂ′から下方に排出される。このようにパチンコ機ＰＭ′においては、遊技盤１０′の裏面側においてアウト球とセーフ球とが別々に分けられて下方に排出される。
【００３９】
遊技補助板５０′の上部には、図１８および図１９にも示されるように、上部が二股状に分かれてＹ字状となる球集合通路５１′が設けられている。そして、一方の上端開口５１ａは第２裏カバー２６′の下端開口２６ｂ′に対向してここから排出されるセーフ球を受け入れ、他方の上端開口５１ｃは第２アウト球通路孔１８ｂ′の下端開口に対向してここから排出されるアウト球を受け入れる。このようにして上端開口５１ａ，５１ｃから集合通路５１′内に受け入れられたセーフ球およびアウト球はここで遊技済み球として集合され、その下端開口５１ｂから下方に排出される。この下端開口５１ｂは遊技済み球通路構成部材６０の上端開口６０ａと対向しているが、この構成はパチンコ機ＰＭと同一である。
【００４０】
上記説明した構成以外の構成については、パチンコ機ＰＭ′はパチンコ機ＰＭと同一であるため、その説明は省略する。
【００４１】
次に、第３の実施形態に係るパチンコ機ＰＭ″について図２０〜図２３を参照して説明する。但し、このパチンコ機ＰＭ″と図１〜図１４に示したパチンコ機ＰＭとは、遊技補助板５０の下部の裏面に取り付けられる遊技済み球通路構成部材および賞球バケットの構成が相違し、その他の構成は同一であるので、以下においてパチンコ機ＰＭと同一構成部分については同一番号を付してその説明を簡略化もしくは省略する。なお、図２０は図９に対応し、図２１は図１２（の一部）に対応し、図２２は図１３（の一部）に対応し、図２３は図２０の構成を上方から見た図である。この第３の実施形態においては、遊技補助板５０の下部裏面にビス１７５ｂにより固設された支持板１７５上に遊技済み球通路構成部材１６０および賞球バケット１７０が左右に並列して設けられる。なお、支持板１７５にはビス１７５ｂを取り付けるためのビス孔１７５ａが設けられている。
【００４２】
遊技済み通路構成部材１６０は、断面Ｕ字状の本体部材１６１の後面を蓋部材１６２により覆って形成され、上端開口１６０ａおよび下端開口１６０ｂを有して上下に延びる遊技済み球通路１６４が内部に形成されている。蓋部材１６２はビス１６３により本体部材１６１に結合されている。遊技済み球通路１６４は、図２２からよく分かるように、本体部材１６１に設けられた二カ所の段差部１６５，１６６により前後にクランク状に曲がった形状となって、遊技済み球の落下速度を和らげ、遊技ホール側に設けられて遊技済み球を回収する回収バケットから跳ね出すことがないように構成されている。遊技済み球通路構成部材１６０は、支持板１７５から後方に突出した二本の取付アーム１７６の上に取り付けられ、二本の左右係止アーム１７７により着脱可能に係止保持される。このため、本体部材１６１には二カ所に取付孔１６１ａ，１６１ｂが形成されており、上側の取付孔１６１ａに上側の取付アーム１７６の先端突起１７６ａが入り込むとともに下側の取付孔１６１ｂに挿入されたビス１７６ｃがネジ１７６ｂと螺合されて遊技済み球通路構成部材１６０が取り付けられる。このビス１７６ｃを螺合させるため、蓋部材１６２にはドライバー挿入用の切り欠き１６２ａが形成されている。なおこのとき、左右の係止アーム１７７の先端係止爪１７７ａが本体部１６１の係止片１６１ｃに係合して係止保持する。また、支持板１７５には矩形状の支持部１７８が設けられており、本体部１６１が支持部１７８の上に当接して支持される。
【００４３】
賞球バケット１７０は支持板１７５と一体に繋がって形成されており、バケット空間１７３を形成するバケット本体部１７１と、溢れ球通路４３の下端切り欠き４３ａを覆う仕切壁部１７２とを一体に有して構成される。バケット空間１７３は溢れ玉通路４３から排出される溢れ賞球を受容し、これを下賞球通路５６を通って下球皿８に排出させる。なお、仕切壁部１７２の下部に返し壁１７４が図示のように形成されている。
【００４４】
上記説明した構成以外の構成については、パチンコ機ＰＭ″はパチンコ機ＰＭと同一であるため、その説明は省略する。
【００４５】
【発明の効果】
以上説明したように、本発明によれば、賞球払い出し機構および賞球通路が形成された裏セット盤の後面において、賞球通路の側方に平面状の窪み部が形成され、この窪み部に遊技制御基板が配設されるため、遊技制御基板を裏セット盤の後面から突出させることなく裏セット盤に取り付けることができる。このため、弾球遊技機の後面における後方への突出量を小さくして、遊技ホールにおける遊技機設置のための必要スペースを小さくすることができる。
【図面の簡単な説明】
【図１】本発明にパチンコ機の正面図である。
【図２】上記パチンコ機の前面側をガラス扉および上球皿板を開放した状態で示す正面図である。
【図３】上記パチンコ機の裏面側を示す背面図である。
【図４】上記パチンコ機を構成する前枠の裏面側を裏セット盤を取り外した状態で示す背面図である。
【図５】上記前枠の裏面側の一部を拡大して示す背面図である。
【図６】上記前枠に裏セット盤を取り付けた状態での裏面側の一部を拡大して示す背面図である。
【図７】図５の矢印VII−VIIに沿った断面図である。
【図８】図５の矢印VIII−VIIIに沿った断面図である。
【図９】上記パチンコ機の背面側の一部を示す斜視図である。
【図１０】図５の矢印X−Xに沿った断面図である。
【図１１】図６の矢印XI−XIに沿った断面図である。
【図１２】図５の矢印XII−XIIに沿った断面図である。
【図１３】図５の矢印XIII−XIIIに沿った断面図である。
【図１４】図５の矢印XIV−XIVに沿った断面図である。
【図１５】本発明の第２実施形態に係るパチンコ機を構成する前枠の裏面側を裏セット盤を取り外した状態で示す背面図である。
【図１６】本発明の第２実施形態に係るパチンコ機を構成する前枠の裏面側の一部を拡大して示す背面図である。
【図１７】図１６の矢印XVII−XVIIに沿った断面図である。
【図１８】図１６の矢印XVIII−XVIIIに沿った断面図である。
【図１９】図１６の矢印XIX−XIXに沿った断面図である。
【図２０】本発明の第３実施形態に係るパチンコ機において遊技補助板の下部の裏面に取り付けられる遊技済み球通路構成部材および賞球バケットの構成を示す斜視図である。
【図２１】第３実施形態に係るパチンコ機における賞球バケットおよびその周辺の構成を示す断面図である。
【図２２】第３実施形態に係るパチンコ機における遊技済み通路構成部材およびその周辺の構成を示す断面図である。
【図２３】第３実施形態に係るパチンコ機における遊技済み球通路構成部材および賞球バケットの構成を示す平面図である。
【符号の説明】
ＢＳＰ  裏セット盤
ＰＭ，ＰＭ′，ＰＭ″  パチンコ機
１  外枠
１ａ  上枠板
１ｂ，１ｃ  左右枠板
１ｄ  底枠板
１ｅ  幕板
１ｆ  補強連桿
２  前枠
３ａ，３ｂ  ヒンジ部材
４  施錠装置
５  ガラス扉
５ａ  ガラス板
６  上球皿板
６ａ  上球皿
７  収容枠部
８  下球皿
９  打球発射装置
９ａ  打球発射ハンドル
１０，１０′  遊技盤
１１  遊技領域
１２ａ〜１２ｄ  係合レバー
１３  レール
１４  風車
１５  通過ゲート
１６  一般入賞具
１７  始動入賞具
１８  アウト口
１８ａ，１８ｂ′  アウト球通路孔
１８ｃ  板カバー
１９  ランプ飾り
２０  表示装置
２１  遊技釘
２２  アタッカー装置
２２ａ，２２ｂ  セーフ球通路孔
２３  表示制御基板
２５，２６，２６′  裏カバー
２５ａ，２６ａ  内部空間
２６ｂ  下端開口
２７ａ，２７ｂ  遮蔽壁
３０  球貯留供給機構
３１  タンク部材
３２  整列樋部材
３２ａ  偏向出口
３５  開口
３７  ターミナル制御部
３８ａ，３８ｂ  ヒンジ
３９  閉止レバー
４０  賞球払い出し機構
４１  賞球通路形成部
４１ａ  上端開口
４２  賞球排出通路
４２ａ  下端開口
４３  溢れ球通路
４３ａ  仕切部
４４ａ  溢れ検知レバー
４４ｂ  溢れ検知スイッチ
４５  包囲空間
４５ａ  壁
４８，４９  制御基板
５０，５０′  遊技補助板
５１，５１′  第１遊技済み球通路
５１ａ，５１ｂ  上下端開口
５２  緩衝部材
５３ａ  詰まり検知レバー
５３ｂ  詰まり検知スイッチ
５４ａ，５４ｂ  空間
５６，５７  賞球路
６０，１６０  遊技済み球通路構成部材
６０ａ，１６２  蓋部材
６１，１６４  第２遊技済み球通路
６１ａ，６１ｂ，１６０ａ，１６０ｂ  上下端開口
６２，１６５，１６６  段差部
６５，１７０  賞球バケット
６５ａ，１７３  バケット空間
６６  仕切リブ
６６ａ，１７４  返し壁
６８  取り付け板
６９  証紙貼付部
１６１  本体部材
１６１ａ，１６１ｂ  取付孔
１６２ａ  切り欠き
１６３  ビス
１７１  バケット本体部
１７２  仕切壁部
１７５  支持板
１７５ａ  ビス孔
１７５ｂ  ビス
１７６  取付アーム
１７６ａ  先端突起
１７６ｂ  ネジ
１７６ｃ  ビス
１７７  係止アーム
１７７ａ  先端係止爪
１７８  支持部
【図１】
0004761283.tif 000002
【図２】
0004761283.tif 000003
【図３】
0004761283.tif 000004
【図４】
0004761283.tif 000005
【図５】
0004761283.tif 000006
【図６】
0004761283.tif 000007
【図７】
0004761283.tif 000008
【図８】
0004761283.tif 000009
【図９】
0004761283.tif 000010
【図１０】
0004761283.tif 000011
【図１１】
0004761283.tif 000012
【図１２】
0004761283.tif 000013
【図１３】
0004761283.tif 000014
【図１４】
0004761283.tif 000015
【図１５】
0004761283.tif 000016
【図１６】
0004761283.tif 000017
【図１７】
0004761283.tif 000018
【図１８】
0004761283.tif 000019
【図１９】
0004761283.tif 000020
【図２０】
0004761283.tif 000021
【図２１】
0004761283.tif 000022
【図２２】
0004761283.tif 000023
【図２３】
0004761283.tif 000024